(57)【要約】      （修正有）【課題】快適さ及び見栄えの良さのうちの少なくとも一方が改善されるブラジャーを提供する。【解決手段】ブラジャーは、２つのカップを有し、用いられる材料は、その範囲が２つのカップの範囲以上である外織物層１０１と、その範囲が２つのカップの範囲以上である内織物層１０５と、その範囲が２つのカップの範囲以上であり、外織物層１０１と内織物層１０５との間に設けられ、各部分において異なる厚さ及び略同じ密度を有するカップ芯層と、を含む。カップ芯層は、内層としてのスポンジ層１０２及び外層としてのカップ織物層１０３を含み、カップ芯層は、スポンジ層１０２とカップ織物層１０３とを互いに貼り合わせた後にカットして型押し成型することにより形成される。【選択図】図１
0003218619.tif 000002
【実用新案登録請求の範囲】
【請求項１】
２つのカップを有するブラジャーであって、
その範囲が前記２つのカップの範囲以上である外織物層と、
その範囲が前記２つのカップの範囲以上である内織物層と、
その範囲が前記２つのカップの範囲以上であり、前記外織物層と前記内織物層との間に設けられ、各部分において異なる厚さ及び略同じ密度を有するカップ芯層と、を含むことを特徴とするブラジャー。
【請求項２】
前記カップ芯層は、内層としてのスポンジ層及び外層としてのカップ織物層を含み、前記カップ芯層は、前記スポンジ層と前記カップ織物層とを互いに貼り合わせた後にカットして型押し成型することにより形成されることを特徴とする請求項１に記載のブラジャー。
【請求項３】
形成された前記カップ芯層は、前記スポンジ層の一方側に２つの突き出たカップ部分を有し、各カップ部分は、中間から端縁まで漸減する厚さを有することを特徴とする請求項２に記載のブラジャー。
【請求項４】
前記カップ芯層の内面全体は、前記内織物層に接合されていることを特徴とする請求項１に記載のブラジャー。
【請求項５】
前記カップ芯層と前記内織物層との間に設けられ、加熱後に前記カップ芯層を前記内織物層に接合する熱可塑性ポリウレタンＴＰＵフィルム
を更に含むことを特徴とする請求項１に記載のブラジャー。
【請求項６】
前記カップ芯層の外面と前記外織物層とが互いに接合されていないことを特徴とする請求項１に記載のブラジャー。
【請求項７】
前記外織物層と前記内織物層とが端縁部分において互いに接合されていることを特徴とする請求項１に記載のブラジャー。
【請求項８】
前記外織物層と前記内織物層は、バインダー及び熱プレス処理により、端縁部分において互いに接合されていることを特徴とする請求項７に記載のブラジャー。
【請求項９】
前記内織物層は、前記ブラジャーの内側が一枚式であるように十分に大きいことを特徴とする請求項１に記載のブラジャー。
【請求項１０】
前記ブラジャーは、ブラトップ（ｂｒａ  ｔｏｐ）及びスポーツブラを含むことを特徴とする請求項１に記載のブラジャー。
【請求項１１】
請求項１〜１０のいずれか一項に記載のブラジャーを含むことを特徴とする衣類。
【考案の詳細な説明】
【技術分野】
【０００１】
本願は、衣類及び衣類の製造に関し、具体的には、ブラジャー、ブラジャーを含む衣類及びブラジャーの製造方法に関する。
【背景技術】
【０００２】
ブラジャーのカップ芯の３Ｄ形状は、一般的に、同じ厚さの材料に対し型押しを行うことにより形成される。型押しにより形成されるカップ芯は、薄い領域において大きい密度を有し、厚い領域において小さい密度を有する。このようなカップ芯を有するブラジャーは、密度の大きい領域の硬度が高いので、着用者に不快感をもたらすため、望ましくない。
【０００３】
なお、通常のカップ芯は、追加のブラパッドとして設けられるものであり、ブラパッドのブラジャーにおける位置と形状は、いずれも正確に制御されることができない。
【考案の概要】
【０００４】
本考案は、ブラジャー、ブラジャーを含む衣類及びブラジャーの製造方法を提供することを旨とし、上述した少なくとも１つの問題を改善することを旨とする。
【０００５】
本願の一局面によれば、２つのカップを有するブラジャーであって、その範囲が前記２つのカップの範囲以上である外織物層と、その範囲が前記２つのカップの範囲以上である内織物層と、その範囲が前記２つのカップの範囲以上であり、前記外織物層と前記内織物層との間に設けられ、各部分において異なる厚さ及び略同じ密度を有するカップ芯層と、を含むブラジャーを提供する。
【０００６】
本願の他の局面によれば、各部分において異なる厚さ及び同じ密度を有する、成型されたカップ芯層と、前記カップ芯層の内側に位置する、成型された内織物層とを接合することと、外織物層を前記カップ芯層の外側に設けることにより、前記外織物層と前記内織物層の端縁部分とを接合することと、を含むことを特徴とするブラジャーの製造方法を提供する。
【０００７】
本願のさらに他の局面によれば、前記ブラジャー又は前記方法により製造されるブラジャーを含む衣類を提供する。
【０００８】
本考案で提供されるブラジャーによれば、快適さ及び見栄えの良さのうちの少なくとも一方が改善される。
【図面の簡単な説明】
【０００９】
【図１】本願にかかる一実施形態により製造されるブラジャーに用いられる材料を示す。
【図２】本願にかかる一実施形態によりブラジャーを製造するために使用される設備、及びカップ芯層を成型する処理を示す。
【図３】本願にかかる一実施形態により成型されたカップ芯層上に熱可塑性ポリウレタンＴＰＵフィルムを真空吸着する処理を示す。
【図４】本願にかかる一実施形態により内織物層を成型する処理を示す。
【図５】本願にかかる一実施形態により裁断されたカップ芯層及び成型された内織物層を合わせ成型する処理を示す。
【図６】（Ａ）は本願にかかる一実施形態により合わせ成型仕上がりサンプル５０１を裁断し接着剤を付けて得られたブラトップ（ｂｒａ  ｔｏｐ）式のブラジャーを示し、（Ｂ）は本願にかかる一実施形態により合わせ成型仕上がりサンプル５０１を裁断し接着剤を付けて得られたワンピースシームレスブラジャーを示す。
【図７Ａ】本願にかかる一実施形態により図６Ａに示す接着剤付き合わせ成型仕上がりサンプルを裏返して成型する処理を示す。
【図７Ｂ】本願にかかる一実施形態により図６Ｂに示す接着剤付き合わせ成型仕上がりサンプルを裏返して成型する処理を示す。
【図８Ａ】図７Ａにおける裏返して成型された仕上がりサンプルのａ−ａ線に沿った断面図を示す。
【図８Ｂ】図７Ｂにおける裏返して成型された仕上がりサンプルのａ−ａ線に沿った断面図を示す。
【図９】図９Ａと図９Ｂは、本願にかかる一実施形態によるブラトップ（ｂｒａ  ｔｏｐ）式のブラジャーの仕上がりサンプルの正面図と底面図をそれぞれ示す。
【図１０】図１０Ａと図１０Ｂは、本願にかかる一実施形態によるハーフピースシームレスブラジャーの仕上がりサンプルの正面図と底面図をそれぞれ示す。
【図１１】図１１Ａと図１１Ｂは、本願にかかる一実施形態によるワンピースシームレスブラジャーの仕上がりサンプルの正面図と底面図をそれぞれ示す。
【考案を実施するための形態】
【００１０】
本願をよりよく理解するために、以下、図面を参照し、例示的な実施形態に従って、本願の技術方案を説明する。
【００１１】
図１は、本願にかかる一実施形態により製造されるブラジャーに用いられる材料を示す。図示されるように、本実施形態に用いられる材料は、外織物層１０１と、スポンジ層１０２及びカップ織物層１０３からなるカップ芯層と、熱可塑性ポリウレタンＴＰＵフィルム１０４と、内織物層１０５とを含む。外織物層１０１、スポンジ層１０２、カップ織物層１０３及び内織物層１０５の各層の範囲は、いずれもブラジャーの２つのカップの範囲よりも大きい。即ち、ブラジャーの２つのカップは、外織物層１０１、スポンジ層１０２、カップ織物層１０３及び内織物層１０５の各層の左側端縁と右側端縁で限定される範囲内にある。本願において、「内」と「外」は、いずれも衣類の着用者の体に対して定義されるものである。内織物層は、ブラジャーの内側の層であり、即ち、着用者の体に近い側の層であり、外織物層は、ブラジャーの外側の層であり、即ち、着用者の体から離れる側の層である。
【００１２】
本願にかかる実施形態において、カップ芯層は、最初に提供されるスポンジ層１０２とカップ織物層１０３とを貼り合わせた後にカットすることにより形成される。例えば、手押し設備により上述したカット作業を行うことができる。カップ芯層（又はスポンジ層１０２）は、カットにより形成される所望の形状と厚さを有する。本願における「手押し」とは、一種のプロセスであり、必ずしも手で完成するとは限らず、完全に機械により完成してもよいと理解すべきである。具体的には、手押しプロセスにおいて、まず、一枚の大きな織物（例えば、布）と厚さが均一である一枚のスポンジとを貼り合わせてから、スポンジに布が貼り合わされた複合ピースに対し手押し設備により不要のスポンジを切り取る。手押し設備によりカットした後、厚さが均一であったスポンジ全体が、異なる厚さの分布となる。即ち、例えば、図１と図２に示すように、スポンジ層の断面方向において異なる厚さを有する３Ｄ形状をなす。本願にかかる実施形態において、手押し設備によりカットして形成された前記カップ芯層は、前記スポンジ層の一方側に２つの突き出たカップ部分を有し、突き出たカップ部分は、ブラジャーの２つのカップに対応し、或いはそれらを限定し、各カップ部分は、中間から端縁まで漸減する厚さを有する。図１に示すように、スポンジ層１０２は、手押しにより形成された２つの略カップの形状を有する。２つのカップ形状を有するスポンジ層１０２は、一体的であり、即ち、２つのカップは、２つの別々のスポンジに形成されていない。各カップは、中心領域が略一致する大きな厚さを有し、端縁領域において、最も端縁寄りの箇所がスポンジ層１０２の非カップ領域と揃うまで、漸減する厚さを有する。別の実施形態において、各カップは、中間部分において小幅に漸減する厚さ及び端縁部分において大幅に漸減する厚さを有してもよい。他の実施形態において、カップの各部分の厚さは、必要に応じて適切に調整してもよい。あるいは、２つのカップの間の接続領域に用いる追加の手押し綿又はスポンジパッド１０６を設けてもよい。
【００１３】
図２は、本願にかかる一実施形態によりブラジャーを製造するために使用される設備、及びカップ芯層を型押し成型する処理を示す。図２に示す実施形態において、２つのカップの間の接続領域に用いる追加の手押し綿１０６を用いた。図示されるように、凸状型２０１と凹状型２０２を含む型を用いることができる。凸状型２０１と凹状型２０２は、２つのカップを含む所望のカップ芯の形状に対応する形状を有する。カップ芯層におけるカットにより形成された２つのカップと凸状型のカップ芯の形状を合わせるように、カップ芯層の厚さの突き出た一方の側面を凸状型２０１に対向して配置する。追加の手押し綿１０６をカップ芯層に形成された２つのカップ形状の間の接続部分に配置する。凸状型２０１と凹状型２０２とを型締めして型押しすることにより、２つのカップ領域を含む成型されたカップ芯層２０３を形成する。カップの薄い領域（端縁部分）の材料厚さが漸減するため、型押し過程において、大きい材料厚さを有する中間部分が先に圧力を受けると共に、中間部分が端縁部分よりも大きい圧力を受ける。それにより、成型されたカップ芯層２０３において、材料厚さの大きいカップ芯の位置は、厚さの大きいカップの位置（中間部分）に対応し、材料厚さの小さいカップ芯の位置は、厚さの小さいカップの位置（端縁部分）に対応するので、成型されたカップ芯層２０３は、カップの異なる位置において略同じ密度と硬度を有する。図２には、成型後の凹面２０３１が示された。
【００１４】
図３は、本願にかかる一実施形態により成型されたカップ芯層上に熱可塑性ポリウレタン（ｔｈｅｒｍｏｐｌａｓｔｉｃ  ｐｏｌｙｕｒｅｔｈａｎｅ，  ＴＰＵ）フィルムを真空吸着する処理を示す。図示されるように、ＴＰＵフィルム１０４を成型されたカップ芯層の上方（図２における凸状型の位置する側）に配置し、凹状型２０２によりＴＰＵフィルム１０４を成型されたカップ芯層のスポンジ層にある側に真空吸着することにより、ＴＰＵフィルムが真空吸着されたカップ芯層３０１を得る。さらに、ＴＰＵフィルムが真空吸着されたカップ芯層３０１を裁断することにより、裁断されたカップ芯層３０２を得る。図３には、凹面３０１１が示された。
【００１５】
図４は、本願にかかる一実施形態により内織物層を型押し成型する処理を示す。図示されるように、内織物層１０５を凸状型２０１と凹状型２０２との間に配置し、凸状型２０１と凹状型２０２とを型締めして型押しすることにより、２つのカップを含む成型された内織物層４０１を形成する。図４には、凹面４０１１が示された。
【００１６】
図５は、本願にかかる一実施形態により裁断されたカップ芯層３０２と成型された内織物層４０１とを合わせて型押し成型（即ち、合わせ成型）する処理を示す。図示されるように、成型された内織物層４０１が凸状型２０１に近い側に位置し、裁断されたカップ芯層３０２が凹状型２０２に近い側に位置するように、裁断されたカップ芯層３０２と成型された内織物層４０１を凸状型２０１と凹状型２０２との間に配置する。内織物層の範囲がカップ芯層の範囲よりも大きいことにより、２つのカップ部分を含むカップ芯層全体が内織物層の境界範囲内にある。凸状型２０１と凹状型２０２とを型締めして型押しすることにより、合わせ成型された仕上がりサンプル５０１を形成する。カップ芯層にＴＰＵフィルムが真空吸着された場合に、カップ芯層におけるＴＰＵフィルムが加熱されると軟化し、型押し及び冷却により、カップ芯層と内織物層が良好に接合される。このような接合は、何らのバインダーも使わないので、着用の快適さの向上に寄与し、繰り返し洗浄後の折り目の発生の回避に寄与する。
【００１７】
図６Ａは、本願にかかる一実施形態により合わせ成型仕上がりサンプル５０１（カップ芯層と内織物層からなるユニット）を裁断し接着剤を付けて得られたブラトップ（ｂｒａ  ｔｏｐ）式のブラジャー又はハーフピースシームレスブラジャーを示す。図６Ｂは、本願にかかる一実施形態により合わせ成型仕上がりサンプル５０１を裁断し接着剤を付けて得られたワンピースシームレスブラジャーを示す。ワンピースシームレスブラジャーの実施形態において、内織物層の左右両側の延伸範囲は、ブラジャーの左右の２つのウイングを含むのに十分であり、カップ芯層は、ウイング部分まで延伸しないことにより、ブラジャーのウイング部分は、内織物層のみからなる。合わせ成型仕上がりサンプル５０１が裁断された後に、内織物層の裁断方式によって、図６Ａに示すようなハーフピースシームレスブラジャー又はブラトップ式ブラジャーに対応する形状、或いは、図６Ｂに示すようなワンピースシームレスブラジャーに対応する形状を得ることができることが分かった。図６Ａと６Ｂには、内織物層４０１の端縁部分が接着フィルム又は糊６０１、６０２が塗布され、カップ芯層と内織物層との合わせ成型後の接着剤付きユニット６１０と６２０を形成することにより、外織物層が後処理において塗布された接着フィルム又は糊によって内織物層に接合されることがさらに示されている。あるいは、内織物層の面積が外織物層の面積よりも大きい場合に、後処理において外織物層に接合するように、内織物層の、外織物層の端縁に対応する部分（内織物層の端縁部分ではない）に接着フィルム又は糊を塗布してもよい。
【００１８】
図７Ａは、本願にかかる一実施形態により図６Ａに示すカップ芯層と内織物層との合わせ成型後の接着剤付きユニット６１０をさらに型押しする処理を示す。図示されるように、カップ芯層と内織物層との合わせ成型後の接着剤付きユニット６１０及び外織物層１０１を、外織物層１０１が凹状型２０２に近い側に位置し、カップ芯層と内織物層との合わせ成型後の接着剤付きユニット６１０が凸状型２０１に近い側に位置し、カップ芯層の凹面が凸状型２０１に向き配置されるように、凸状型２０１と凹状型２０２との間に配置する。外織物層の範囲がカップ芯層の範囲よりも大きいことにより、２つのカップ部分を含むカップ芯層全体が外織物層の境界範囲内にある。凸状型２０１と凹状型２０２を型締めして型押しすることにより、ハーフピースシームレスブラジャー又はブラトップ式ブラジャーを形成するためのユニット７１０を形成する。例えば、縫合線１００１により、例えばウイング、バックバンド（ｂａｃｋ  ｂａｎｄ）、肩紐及び留め具などのユニットを付接した後に、完全なハーフピースシームレスブラジャー（図９Ａと９Ｂに示すように）又はブラトップ式ブラジャー（図１０Ａと１０Ｂに示すように）を形成することができる。本願において、「ハーフピースシームレス」ブラジャーとは、内織物層及び外織物層がウイングを含むように延伸しないことを指す。カップ芯層と内織物層との合わせ成型後の接着剤付きユニット６１０の端縁部分に塗布された接着フィルム又は糊によって、外織物層１０１と、カップ芯層と内織物層との合わせ成型後の接着剤付きユニット６１０は、内織物層及び／又は外織物層の端縁部分において接合されている。本実施形態において、内織物層と外織物層は、バインダーにより、外周縁又は端縁領域のみにおいて互いに接合されている。内織物層と外織物層は、いずれもウイングを含むように延伸していない。カップ芯層は、内織物層と外織物層との間に完全に配置されている。カップ芯層は内織物層に接合されているが、外織物層に接合されていない。カップ芯層と外織物層とは、互いに緩むように保持されている。カップ芯層は、２つのカップ領域を含むが、ウイングの位置まで延伸していない。上述したように、カップ芯層は、内層としてのスポンジ層と貼り合わせられた外層としてのカップ織物層を含む。スポンジ層は、変化する厚さ（一般的に、厚さが中間から端縁まで漸減する）を有するが、略同じ密度を有する。スポンジ層は、内織物層に付接されている。スポンジ層と内織物層との間の付接は、バインダーが必要ではない。即ち、バインダーにより内織物層とスポンジ層を付接しない。内織物層とスポンジ層との間の付接は、ＴＰＵフィルムにより実現される。
【００１９】
図７Ｂは、本願にかかる一実施形態により図６Ｂに示すカップ芯層と内織物層との合わせ成型後の接着剤付きユニット６２０をさらに型押しする処理を示す。図示されるように、カップ芯層と内織物層との合わせ成型後の接着剤付きユニット６２０及び外織物層１０１を、外織物層１０１が凹状型２０２に近い側に位置し、カップ芯層と内織物層との合わせ成型後の接着剤付きユニット６２０が凸状型２０１に近い側に位置し、凹面が凸状型２０１に向き配置されるように、凸状型２０１と凹状型２０２との間に配置する。凸状型２０１と凹状型２０２を型締めして型押しした後、外織物層を裁断することにより、ワンピースシームレスブラジャーを形成するためのユニット７２０を形成する。例えば肩紐及び留め具などのユニットを付接した後に、完全なワンピースシームレスブラジャーを形成することができる。カップ芯層と内織物層との合わせ成型後の接着剤付きユニット６２０の端縁部分に塗布された接着フィルム又は糊によって、外織物層１０１と、カップ芯層と内織物層との合わせ成型後の接着剤付きユニット６２０は、外周縁又は端縁部分において接合されている。本実施形態において、内織物層と外織物層は、バインダーにより、外周縁又は端縁領域のみにおいて互いに接合されている。内織物層と外織物層は、いずれも両側にウイングを備えるように十分に長く延伸する。カップ芯層は、内織物層と外織物層との間に完全に配置されている。カップ芯層は内織物層に接合されているが、外織物層に接合されていない。カップ芯層と外織物層とは、互いに緩むように保持されている。カップ芯層は、２つのカップを含むが、ウイングの位置まで延伸していない。上述したように、カップ芯層は、内層としてのスポンジ層と貼り合わせられた外層としてのカップ織物層を含む。スポンジ層は、変化する厚さ（一般的に、厚さが中間から端縁まで漸減する）を有するが、略同じ密度を有する。スポンジ層は、内織物層に付接されている。スポンジ層と内織物層との間の付接は、バインダーが必要ではない。即ち、バインダーにより内織物層とスポンジ層を付接しない。内織物層とスポンジ層との間の付接は、ＴＰＵフィルムにより実現される。
【００２０】
あるいは、内織物層と外織物層のうちの一方又は両方は、肩紐の少なくとも一部を含むようにさらに延伸してもよい。
【００２１】
内織物層が十分に大きい場合には、形成された合わせ成型仕上がりサンプルの内側は、一枚式である。内織物層及び外織物層がいずれも十分に大きい場合には、形成された合わせ成型仕上がりサンプルの内側及び外側はいずれも一枚式である。
【００２２】
図８Ａと図８Ｂは、図７Ａと図７Ｂにおけるハーフピースシームレスブラジャー又はブラトップ式ブラジャーを形成するためのユニット７１０と、ワンピースシームレスブラジャーを形成するためのユニット７２０のａ−ａ線に沿った断面図をそれぞれ示す。図示されるように、ハーフピースシームレスブラジャー又はブラトップ式ブラジャーを形成するためのユニット７１０と、ワンピースシームレスブラジャーを形成するためのユニット７２０のａ−ａ線に沿った断面図は、外側から内側まで、外織物層１０１、カップ織物層１０３、スポンジ層１０２、ＴＰＵフィルム１０４および内織物層１０５をこの順に含む。カップの中間部分において、スポンジ層又はカップ芯層が、比較的に一致する大きな厚さを有し、カップの端縁部分において、スポンジ層又はカップ芯層が漸減する厚さを有することが分かった。外織物層と内織物層は、カップ芯層の周りにおいて接合されている。スポンジ層１０２と内織物層１０５は互いに接合されているが、カップ芯層と外織物層１０１は互いに緩むように保持されている。このように、ブラジャーの内側には、より良好な快適さが与えられ、ブラジャーの外側は、見栄えの良い効果を有する。あるいは、外織物層１０１は、カップ芯層の２つのカップ領域の間の領域のみにおいてカップ芯層又はそのカップ織物層１０３に接合されてもよい。
【００２３】
図９Ａと図９Ｂは、本願にかかる一実施形態によるブラトップ又はブラトップ式ブラジャーの仕上がりサンプルの正面図と底面図をそれぞれ示す。正面図は、ブラジャーの正面又は外側から見た図であり、底面図は、ブラジャーの裏面又は内側から見た図である。図示されるように、完全なブラトップ又はブラトップ式ブラジャーは、例えば、縫合線９０１によりブラトップ式ブラジャーのユニット７１０に接合された肩紐及びバックバンド（ｂａｃｋ  ｂａｎｄ）を含んでもよい。ブラトップ式ブラジャーを形成するユニットのうちの内織物層及び外織物層が肩紐全体を含むように延伸する実施形態において、ブラトップ式ブラジャーのユニットとバックバンドとを接合して肩紐の自由端をバックバンドに付接することにより、完全なブラトップ又はブラトップ式ブラジャーを形成する。
【００２４】
図１０Ａと図１０Ｂは、本願にかかる一実施形態によるハーフピースシームレスブラジャーの仕上がりサンプルの正面図と底面図をそれぞれ示す。正面図は、ブラジャーの正面又は外側から見た図であり、底面図は、ブラジャーの裏面又は内側から見た図である。肩紐及び留め具以外、ハーフピースシームレスブラジャーの両側には、例えば、縫合線１００１によりそれぞれウイングを接合することにより、完全なブラジャーを形成することが分かった。
【００２５】
図１１Ａと図１１Ｂは、本願にかかる一実施形態によるワンピースシームレスブラジャーの仕上がりサンプルの正面図と底面図をそれぞれ示す。正面図は、ブラジャーの正面又は外側から見た図であり、底面図は、ブラジャーの裏面又は内側から見た図である。前記形成されたワンピースシームレスブラジャーユニットと肩紐及び留め具とは、例えば縫合線１１０１により接合されると、完全なブラジャーを形成することが分かった。
【００２６】
本願は、ハーフピースシームレス又はワンピースシームレス普通のブラジャー、スポーツブラ、ブラトップ（ｂｒａ  ｔｏｐ）などに適用する。
【００２７】
本願にかかる実施形態において、カップ芯を形成するためのスポンジは、一枚のスポンジから正確にカットされたものであり、形成されるカップの３Ｄ形状は、従来技術のように完全に型押しにより形成したものではなく、カットによって得られたスポンジの形状により決められ、また、カップには、追加のブラパッドを設ける必要がない。したがって、上記の工程により形成されたブラジャーは、一致する硬度を有すると共に、カップが正確な位置を有する他、その端縁が直接裁断、或いは超音波によるエッジカッティングを行うことにより形成されたので、着用の快適さをより一層向上させると共に、きれいで簡潔な見栄えを有することができる。
【００２８】
上述した実施形態は、例として提供されるものに過ぎず、代替実施形態において、上述した実施形態における幾つかの工程と構成要素は、本願の範囲から逸脱せずに修正又は削除してもよいと理解すべきである。例えば、幾つかの実施形態において、カップ芯層は、スポンジ層のみを含んでもよく、或いは、略同じ密度を有するカップ芯の形成に適する他の材料を含んでもよい。幾つかの実施形態において、カップ芯層と内織物層との間に、ＴＰＵフィルムを設けなく、両者を他の方法で接合してもよい。以下、本考案を実現するための可能な、かつ非制限的な幾つかの組合せを挙げる。
【００２９】
（Ａ１）２つのカップを有するブラジャーであって、その範囲が２つのカップの範囲以上である外織物層と、その範囲が２つのカップの範囲以上である内織物層と、その範囲が２つのカップの範囲以上であり、外織物層と内織物層との間に設けられ、各部分において異なる厚さ及び略同じ密度を有するカップ芯層と、を含むブラジャー。
【００３０】
（Ａ２）（Ａ１）に記載のブラジャーにおいて、カップ芯層は、内層としてのスポンジ層及び外層としてのカップ織物層を含み、カップ芯層は、スポンジ層とカップ織物層とを互いに貼り合わせた後にカットして型押し成型することにより形成されるブラジャー。
【００３１】
（Ａ３）（Ａ２）に記載のブラジャーにおいて、形成されたカップ芯層は、スポンジ層の一方側に２つの突き出たカップ部分を有し、各カップ部分は、中間から端縁まで漸減する厚さを有するブラジャー。
【００３２】
（Ａ４）（Ａ１）に記載のブラジャーにおいて、カップ芯層の内面全体は、内織物層に接合されているブラジャー。
【００３３】
（Ａ５）（Ａ１）に記載のブラジャーにおいて、カップ芯層と内織物層との間に設けられ、加熱後にカップ芯層を内織物層に接合する熱可塑性ポリウレタンＴＰＵフィルムを更に含むブラジャー。
【００３４】
（Ａ６）（Ａ１）に記載のブラジャーにおいて、カップ芯層の外面と外織物層とが互いに接合されておらず、その代わり、カップ芯層の外面と外織物層とが、２つのカップ領域の間の中間接続部分において互いに接合されてもよいブラジャー。
【００３５】
（Ａ７）（Ａ１）に記載のブラジャーにおいて、外織物層と内織物層とが端縁部分のみにおいて互いに接合されているブラジャー。
【００３６】
（Ａ８）（Ａ７）に記載のブラジャーにおいて、外織物層と内織物層は、バインダー及び熱プレス処理により、端縁部分において互いに接合されているブラジャー。
【００３７】
（Ａ９）（Ａ７）に記載のブラジャーにおいて、内織物層は、ブラジャーの内側が一枚式であるように十分に大きいブラジャー。
【００３８】
（Ａ１０）（Ａ７）に記載のブラジャーにおいて、ブラジャーは、ブラトップ（ｂｒａ  ｔｏｐ）及びスポーツブラを含むブラジャー。
【００３９】
（Ｂ１）各部分において異なる厚さ及び同じ密度を有する、成型されたカップ芯層と、カップ芯層の内側に位置する、成型された内織物層とを接合することと、外織物層をカップ芯層の外側に設けることにより、外織物層と内織物層の端縁部分とを接合することと、を含むブラジャーの製造方法。
【００４０】
（Ｂ２）（Ｂ１）に記載の製造方法において、スポンジ層とカップ織物層とを互いに貼り合わせた後にカットして型押し成型することにより、スポンジ層をカップ芯層材料の内層とし、カップ織物層をカップ芯層材料の外層とするカップ芯層材料を形成することと、カップ芯層材料を成型することにより、成型されたカップ芯層を形成することと、を更に含む製造方法。
【００４１】
（Ｂ３）（Ｂ２）に記載の製造方法において、形成されたカップ芯層材料は、スポンジ層の一方側に２つの突き出たカップ部分を有し、各カップ部分は、中間から端縁まで漸減する厚さを有する製造方法。
【００４２】
（Ｂ４）（Ｂ１）に記載の製造方法において、成型されたカップ芯層と成型された内織物層とを接合することは、カップ芯層の内面全体を内織物層に接合することを含む製造方法。
【００４３】
（Ｂ５）（Ｂ１）に記載の製造方法において、成型されたカップ芯層と成型された内織物層とを接合することは、カップ芯層と内織物層との間に熱可塑性ポリウレタンＴＰＵフィルムを設けることと、ＴＰＵフィルムを加熱することによりカップ芯層を内織物層に接合することと、を含む製造方法。
【００４４】
（Ｂ６）（Ｂ１）に記載の製造方法において、カップ芯層の外面と外織物層とが互いに接合されていない製造方法。
【００４５】
（Ｂ７）（Ｂ１）に記載の製造方法において、外織物層と内織物層は、一致する形状を有する製造方法。
【００４６】
（Ｂ８）（Ｂ１）に記載の製造方法において、外織物層をカップ芯層の外側に設けることにより、外織物層と内織物層の端縁部分とを接合することは、バインダー及び熱プレス処理により、外織物層と内織物層とを端縁部分において互いに接合することを含む製造方法。
【００４７】
（Ｂ９）（Ｂ１）に記載の製造方法において、内織物層は、ブラジャーの内側が一枚式であるように十分に大きい製造方法。
【００４８】
（Ｂ１０）（Ｂ１）に記載の製造方法において、ブラジャーは、ブラトップ及びスポーツブラを含む製造方法。
【００４９】
（Ｃ１）（Ａ１）〜（Ａ１０）のいずれか一項に記載のブラジャーを含む衣類。
【符号の説明】
【００５０】
１０１：外織物層
１０２：スポンジ層
１０３：カップ織物層
１０４：ＴＰＵフィルム
１０５：内織物層
１０６：手押し綿又はスポンジパッド
２０１：凸状型
２０２：凹状型
２０３：カップ芯層
３０１：ＴＰＵフィルムが真空吸着されたカップ芯層
３０２：裁断されたカップ芯層
４０１：成型された内織物層
５０１：仕上がりサンプル
６０１、６０２：接着フィルム又は糊
６１０、６２０：接着剤付きユニット
７１０、７２０：ユニット
９０１、１００１、１１０１：縫合線
２０３１、３０１１、４０１１：凹面
【図１】
0003218619.tif 000003
【図２】
0003218619.tif 000004
【図３】
0003218619.tif 000005
【図４】
0003218619.tif 000006
【図５】
0003218619.tif 000007
【図６】
0003218619.tif 000008
【図７Ａ】
0003218619.tif 000009
【図７Ｂ】
0003218619.tif 000010
【図８Ａ】
0003218619.tif 000011
【図８Ｂ】
0003218619.tif 000012
【図９】
0003218619.tif 000013
【図１０】
0003218619.tif 000014
【図１１】
0003218619.tif 000015